【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
インストラクションを格納するコンピュータ可読媒体であって、そのインストラクションが一つ以上のプロセッサによって実行されるとき、前記一つ以上のプロセッサに、
符号データ隠蔽可能パーティションの残差ブロックを表し残差ブロックを表し且つ符号の指定を有さない第１の非ゼロ係数を含む、一つの係数のセットを取得し、
前記係数のセット内の非ゼロ係数の振幅値の和を計算し、
前記非ゼロ係数の前記振幅値の前記和を用いてパリティデータを計算し、且つ、
前記第１の非ゼロ係数に対する符号を前記パリティデータに基づいて指定する、
動作を実行させる、
コンピュータ可読媒体。
【請求項２】
請求項１に記載のコンピュータ可読媒体において、
前記第１の非ゼロ係数に前記符号を指定する動作は、
前記パリティデータの値が正の符号に割り当てられた特定値と等しいことを判定し、
前記パリティデータの前記値が前記正の符号に割り当てられた前記特定値と等しいと判定することに応じて、前記第１の非ゼロ係数に対して前記正の符号を指定する、
動作を備える、
コンピュータ可読媒体。
【請求項３】
請求項１に記載のコンピュータ可読媒体において、
前記第１の非ゼロ係数に対する前記符号を指定する動作は、
前記パリティデータの値が負の符号に割り当てられた特定値と等しいことを判定し、
前記パリティデータの前記値が前記負の符号に割り当てられた前記特定値と等しいと判定することに応じて、前記第１の非ゼロ係数に対して前記負の符号を指定する、
動作を備える、
コンピュータ可読媒体。
【請求項４】
請求項１に記載のコンピュータ可読媒体において、
前記動作は、
前記係数のセットにおける非ゼロ係数の数が閾値を満足することを判定し、
前記係数のセットにおける前記非ゼロ係数の前記数が前記閾値を満足すると判定することに応じて、前記第１の非ゼロ係数が符号指定を有さないと決定する、
動作を備える、
コンピュータ可読媒体。
【請求項５】
請求項１に記載のコンピュータ可読媒体において、
前記動作は、符号データ隠蔽符号化が前記係数のセットに対して可能であることを判定する動作を備えるコンピュータ可読媒体。
【請求項６】
インストラクションを格納するコンピュータ可読媒体であって、そのインストラクションが一つ以上のプロセッサによって実行されるとき、前記一つ以上のプロセッサに、
データ項目を表し、且つ、正又は負の符号を有する第１の非ゼロ係数を含む、第１の係数のセットを取得し、
前記第１の係数のセットに関数を適用して出力データを生成し、
前記出力データを前記第１の非ゼロ係数の前記符号に割り当てられた値と比較し、
前記比較が基準を満たさないことを判定し、
前記比較が前記基準を満たさないと判定することに応じて、前記第１の係数のセット内の少なくとも一つの特定の非ゼロ係数を修正し、
（ｉ）前記符号を有さない前記第１の非ゼロ係数、
（ｉｉ）前記修正された特定の非ゼロ係数、及び、
（ｉｉｉ）前記第１の係数のセット内の他の係数、
を含む第２の係数のセットを符号化する、
動作を実行させる、
コンピュータ可読媒体。
【請求項７】
請求項６に記載のコンピュータ可読媒体において、
前記第１の係数のセットに前記関数を適用する動作は、
前記第１のセットの係数内の非ゼロ係数の和を計算し、
前記非ゼロ係数の前記和を用いてパリティビットを前記出力データとして計算する、
動作を備える、
コンピュータ可読媒体。
【請求項８】
請求項７に記載のコンピュータ可読媒体において、
前記比較が基準を満たさないことを判定する動作は、前記パリティビットが前記第１の非ゼロ係数の前記符号に割り当てられた前記値に等しくないことを判定する動作を含む、コンピュータ可読媒体。
【請求項９】
請求項７に記載のコンピュータ可読媒体において、
前記第１の係数のセット内の前記非ゼロ係数を修正する動作は、
前記第２の係数のセット内の非ゼロ係数の前記和が前記第１の非ゼロ係数の前記符号に割り当てられた前記値に等しいパリティビットを生じるように、前記第１の係数のセット内の前記非ゼロ係数を修正する動作を備える、コンピュータ可読媒体。
【請求項１０】
請求項６に記載のコンピュータ可読媒体において、
前記第１の係数のセットに前記関数を適用して出力データを生成する動作は、
前記第１のセットの係数内の非ゼロ係数の数が閾値を満たすことを判定し、
前記第１のセットの係数内の非ゼロ係数の前記数が前記閾値を満たすと判定することに応じて、前記関数を前記第１の係数のセットに適用する、
動作を備える、
コンピュータ可読媒体。
【請求項１１】
請求項６に記載のコンピュータ可読媒体において、
前記第１の係数のセット内の前記非ゼロ係数を修正する動作は、
前記第１の係数のセット内の前記特定の非ゼロ係数を修正することが性能基準に基づく最適予測を提供することを判定し、
前記第１の係数のセット内の前記特定の非ゼロ係数を修正することが前記最適予測を提供するとの判定に応じて、前記修正のために前記特定の非ゼロ係数を選択する、
動作を備える、
コンピュータ可読媒体。
【請求項１２】
請求項１１に記載のコンピュータ可読媒体において、
前記性能基準がビットレート歪み基準を含む、コンピュータ可読媒体。
【請求項１３】
請求項６に記載のコンピュータ可読媒体において、
前記第１の係数のセット内の少なくとも前記特定の非ゼロ係数を修正する動作は、前記特定の非ゼロ係数を修正して第２の非ゼロ係数を生成する動作を備える、コンピュータ可読媒体。
【請求項１４】
請求項６に記載のコンピュータ可読媒体において、
前記動作は、更に、
前記第１の係数のセット内の非ゼロ係数の数が閾値を満足するかを判定し、
前記第１の係数のセット内の非ゼロ係数の前記数が前記閾値を満足するとの判定に応じて、前記閾値に基づいて、符号隠蔽を行う非ゼロ係数の数を決定する、
動作を備える、コンピュータ可読媒体。
【請求項１５】
請求項１４に記載のコンピュータ可読媒体において、
前記第１の係数のセットに前記関数を適用する動作は、
前記第１の係数のセット内の非ゼロ係数の和を計算し、
前記和と特定数との間の除算に基づく余りのデータを計算する、
動作を備え、
前記出力データを前記第１の非ゼロ係数の前記符号に割り当てられた前記値と比較する動作は、
前記余りのデータを符号隠蔽のために決定された前記非ゼロ係数に割り当てられた値と比較する動作を備え、
前記比較が基準を満足しないことを判定する動作は、
前記余りのデータの値が符号隠蔽のために決定された前記非ゼロ係数に割り当てられた前記値と等しくないと判定する動作を備える、
コンピュータ可読媒体。
【請求項１６】
請求項６に記載のコンピュータ可読媒体において、
前記第２の係数のセットを符号化する動作は
前記第２の係数をエントロピー符号化し、
前記エントロピー符号化された第２の係数のセットを送信する、
動作を備える、
コンピュータ可読媒体。
【請求項１７】
請求項６に記載のコンピュータ可読媒体において、前記特定の非ゼロ係数は前記第１の非ゼロ係数である、コンピュータ可読媒体。
【請求項１８】
請求項６に記載のコンピュータ可読媒体において、前記特定の非ゼロ係数は前記第１の非ゼロ係数でない、コンピュータ可読媒体。
【請求項１９】
画像の、符号データ隠蔽可能なパーティション、を復号化する復号器であって、
一つ以上のプロセッサ、及び、
前記一つ以上のプロセッサに接続されインストラクションを格納するコンピュータ可読媒体、
を備え、
そのインストラクションが前記一つ以上のプロセッサによって実行されるとき、前記一つ以上のプロセッサに、
前記符号データ隠蔽可能パーティションの残差ブロックを表し、且つ、符号の指定を有さない第１の非ゼロ係数を含む、一つの係数のセットを取得し、
前記係数のセット内の非ゼロ係数の振幅値の和を計算し、
前記非ゼロ係数の前記振幅値の前記和を用いてパリティデータを計算し、且つ、
前記第１の非ゼロ係数に対する符号を前記パリティデータに基づいて指定する、
動作を実行させる、
復号器。
【請求項２０】
請求項１９に記載の復号器において、
前記動作は、
前記係数のセット内の非ゼロ係数の数が閾値を満足するかを判定し、
前記係数のセット内の非ゼロ係数の前記数が前記閾値を満足するとの判定に応じて、前記第１の非ゼロ係数が符号の指定を有さないことを決定する、
動作を備える、復号器